(57)【要約】【課題】額の厚さ寸法の大小に対応可能な額支持具を提供すること。【解決手段】長押ｘの上端部に引っかけて取り付ける係合部１２と、額ａの底部ｂを載せる受け部１３とが一体に形成された支持片１１を、Ｌ字形状本体２の横行部３に対して前後方向に移動可能に設け、その本体の立上がり部６に螺合した押えボルト８の先端部に押え片１０を取り付け、その押えボルト８を締め付けることにより支持片１１に載せられる額ａの底部ｂを固定するようにした。【選択図】図１
2009072399.tif 000002
【特許請求の範囲】
【請求項１】
長押の上端部に引っかけて取り付ける係合部と、額の底部を載せる受け部とが一体に形成された支持片を、Ｌ字形状本体の横行部に対して前後方向に移動可能に設け、その本体の立上がり部に螺合した押えボルトの先端部に押え片を取り付け、その押えボルトを締め付けることにより前記支持片に載せられる額の底部を固定するように構成したことを特徴とする額支持具。
【請求項２】
鴨居等の横枠部材に固定用ネジ若しくは釘部材によって取り付ける固定部と、額の底部を載せる受け部とが一体に形成された支持片を、Ｌ字形状本体の横行部に対して前後方向に移動可能に設け、その本体の立上がり部に螺合した押えボルトの先端部に押え片を取り付け、その押えボルトを締め付けることにより前記支持片に載せられる額の底部を固定するように構成したことを特徴とする額支持具。
【発明の詳細な説明】
【技術分野】
【０００１】
本発明は、日本間の壁面に設けられる長押や居間の鴨居等に額を掲げるときに用いられる額支持具に関する。
【背景技術】
【０００２】
従来の日本間の壁面に設けられる長押に取り付ける額支持具は、長押の上端部の断面形状に合わせたほぼ逆Ｕ字形のフック部と額の底部を載せる受け部とを一体に設けた構成とされている。そして、一般的に２個で一対とされる額支持具をフック部により長押に適宜間隔に掛け止めると共に、柱、天井の横枠部材や壁に固定したフック形ネジ等で額の裏面に取り付けられた紐類を引っかけて額を倒れないように支持するようにされる。
【０００３】
特許文献１には本件出願人にかかる額支持具を示す。この額支持具は、長押に取り付ける係合部又は鴨居に取り付ける固定部と額の底部を載せる支承部とを備えた本体を設け、本体に螺合したボルトを締め付けることにより額の底部を固定して当該額を取り付けるように構成されている。
【０００４】
ところで、上記額支持具を含めて従来の額支持具においては、額の大きさ、重量等に合わせて大きさや強度の異なるものが使用されているが、額の厚さ寸法の大きなものや小さなもののどちらにも対応可能な構造を備えていない。このため、額の厚さ寸法の大小に応じて各々額支持具を用意しなければならず、使い勝手に欠けるところがあることは否めない。
【特許文献１】特開２００２−６５４２９号公報
【発明の開示】
【発明が解決しようとする課題】
【０００５】
本発明の目的は、額の厚さ寸法の大小に対応可能な額支持具を提供することにある。
【課題を解決するための手段】
【０００６】
前記目的を達成するために請求項１に記載した発明は、長押の上端部に引っかけて取り付ける係合部と、額の底部を載せる受け部とが一体に形成された支持片を、Ｌ字形状本体の横行部に対して前後方向に移動可能に設け、その本体の立上がり部に螺合した押えボルトの先端部に押え片を取り付け、その押えボルトを締め付けることにより前記支持片に載せられる額の底部を固定するように構成したことを特徴とする。
【０００７】
同様の目的を達成するために請求項２に記載した発明は、鴨居等の横枠部材に固定用ネジ若しくは釘部材によって取り付ける固定部と、額の底部を載せる受け部とが一体に形成された支持片を、Ｌ字形状本体の横行部に対して前後方向に移動可能に設け、その本体の立上がり部に螺合した押えボルトの先端部に押え片を取り付け、その押えボルトを締め付けることにより前記支持片に載せられる額の底部を固定するように構成したことを特徴とするものである。
【発明の効果】
【０００８】
この額支持具は、額を載せる支持片を本体に対して前後方向に移動可能に設けているので、額の厚さ寸法の大小にかかわらず夫々に対応可能であり、利便性に優れる。
【発明を実施するための最良の形態】
【０００９】
以下に、本発明の最良の形態例を図面に基づいて説明する。図１は本発明の第１実施形態に係る額支持具の斜視図、図２は本体の斜視図、図３は支持片の斜視図、図４は同、額支持具の使用状態を示す説明図、図５は本発明の第２実施形態に係る額支持具の斜視図、図６は同、額支持具の使用状態を示す説明図である。
【００１０】
（実施形態例１）
図１において、１は日本間の長押に用いられる本発明の第１実施形態に係る額支持具であり、２個を一対として使用される。その額支持具１の本体２は、図２に示すように、アルミニゥム合金材料等によりＬ字形状に鋳造されており、その横行部３の長手方向に長穴５を形成し、その立上がり部６に押えボルト８を螺合するための雌ネジ７を設けている。４は立上がり部６に延びるように横行部３の上面３ａの一側縁に形成された補強リブである。１０は摘み９を備えた押えボルト８の先端部に相対的に回転自由に取り付けられた押え片である。
【００１１】
１１は長押の上端部に引っかけて取り付けるための鉤形の係合部１２と、額の底部を載せるための受け部１３とが一体に形成された支持片である（図３）。１４は支持片１１の受け部１３の所定箇所に設けられた雌ネジである。
【００１２】
しかして、本体２の横行部３に支持片１１の受け部１３を載せた状態で長穴５に通したビス１６を雌ねじ１４に螺合し、支持片１１を本体２の横行部３に対して前後方向に移動可能とした第１実施形態に係る額支持具１が構成される。
【００１３】
つぎに、本発明の第１実施形態に係る額支持具１の使用方法について述べる。
まず、本体２の立上がり部６に対する支持片１１の位置を額の厚さ寸法に合わせて調節してから、ビス１６を締め付けることにより支持片１１を本体２に固定する。そして、一対の額支持具１の係合部１２を長押ｘの上端部に嵌めてそれらを適宜間隔に配置する。ついで、額ａの底部ｂを支持片１１の受け部１３に載せると共に該底部ｂに小形の飾り布団ｃをあてがった状態で押えボルト８を締め付ける。これにより、額ａは、押え片１０により底部ｂを押圧されて額支持具１に確実に取り付けられる（図４）。
【００１４】
（実施形態例２）
本発明の第２実施形態の額支持具１０１は、鴨居等の横枠部材に取り付けるために支持片１１１に形成する固定部１１２以外の構成について第１実施形態に係る額支持具１と同一の構成とされている。よって、それと同一構成部分については、額支持具１に用いた符号を百番台の符号として図面に記載し、その説明を省略する。
【００１５】
図５に示すように、固定部１１２には、その下端縁に先端が鋭利にされた突起１１２ａを一体に設けると共に釘１２０（若しくはビス）を通すための透孔１１２ｂを設ける。
【００１６】
つぎに、本発明の第２実施形態に係る額支持具１０１の使用方法について述べる。
まず、前記第１実施形態に係る額支持具１と同様に、本体１０２の立上がり部１０６に対する支持片１１１の位置を額の厚さ寸法に合わせて調節を行なう。ついで、一対の額支持具１０１の支持片１１１を鴨居等の横枠部材ｙに適宜間隔に配置して固定部１１２をあてがった状態で、透孔１１２ｂに通した釘１２０を打ち込む。これにより、支持片１１１は横枠部材ｙに確実に固定される（図６）。額ａを額支持具１０１に取り付ける手順については、上述した第１実施形態に係る額支持具１の項で述べた要領にて行なえばよい。
【００１７】
以上に述べた通り、この額支持具は、額を載せる支持片を本体に対して前後方向に移動可能に設けているので、額の厚さ寸法の大小にかかわらず夫々に対応可能であり、利便性に優れる。
【図面の簡単な説明】
【００１８】
【図１】本発明の第１実施形態に係る額支持具の斜視図
【図２】本体の斜視図
【図３】支持片の斜視図
【図４】同、額支持具の使用状態を示す説明図
【図５】本発明の第２実施形態に係る額支持具の斜視図
【図６】同、額支持具の使用状態を示す説明図
【符号の説明】
【００１９】
１・・・第１実施形態に係る額支持具
２・・・本体
３・・・横行部
８・・・押えボルト
１０・・・押え片
１１・・・支持片
１２・・・係合部
１３・・・受け部
１０１・・・第２実施形態に係る額支持具
１０２・・・本体
１１１・・・支持片
１１２・・・固定部１１２
【図１】
2009072399.tif 000003
【図２】
2009072399.tif 000004
【図３】
2009072399.tif 000005
【図４】
2009072399.tif 000006
【図５】
2009072399.tif 000007
【図６】
2009072399.tif 000008